(57)【特許請求の範囲】
【請求項１】
引金の操作により平板状遊技子を加撃して空中に該平板状遊技子を発射するゲーム機用平板状遊技子発射装置であって、
平板状遊技子を装入する遊技子装入口を有し、遊技子装入口から装入された複数の平板状遊技子をその面に沿い直列状態で送る遊技子収納部と、
遊技子収納部の前記遊技子装入口と反対の端部に設けられ、かつ遊技子収納部内で送られてくる平板状遊技子をその送り方向に対して起立するように受け止める受け面を有する遊技子受止め具と、
前記引金の操作に連動して、前記遊技子受止め具寄りの平板状遊技子に作用し、それを揺動して起立させ前記受け面に当接させるとともに、前記遊技子収納部内にある次位平板状遊技子を係止する揺動係止部材と、
前記引金の操作に連動して、前記受け面に当接して起立している前記平板状遊技子の端面を加撃して前記受け面に沿って発射する加撃片と、
を備えることを特徴とするゲーム機用平板状遊技子発射装置。
【請求項２】
前記揺動係止部材は、前記加撃片による加撃の後、遊技子収納部内の前記次位平板状遊技子の係止を解除して、該次位平板状遊技子の前記受け面への誘導を許すように構成された
ことを特徴とする請求項１記載のゲーム機用平板状遊技子発射装置。
【請求項３】
揺動係止部材は揺動軸により枢着され、該揺動係止部材には、前記揺動軸を中心とする略円弧状面が形成されるとともに、揺動係止部材の先端部は、前記受け面に当接して起立状態にある平板状遊技子の面に当接しうる位置にある
ことを特徴とする請求項２記載のゲーム機用平板状遊技子発射装置。
【請求項４】
前記揺動係止部材の前記先端部に隣接して、前記受け面に当接して起立状態にある平板状遊技子の面に弾性的に当接しうる弾性部材が設けられた
ことを特徴とする請求項３記載のゲーム機用平板状遊技子発射装置。
【請求項５】
前記請求項１ないし４のいずれかに記載のゲーム機用平板状遊技子発射装置と、該平板状遊技子発射装置から発射された平板状遊技子を受ける目標ポットと、目標ポットへの平板状遊技子の投入の検出に応じて、平板状遊技子を払い出す払い出し装置とを備えるゲーム機。
【発明の詳細な説明】
【０００１】
【発明の属する技術分野】
本発明は、メダル（本発明では、円板状コインもメダルと称す）、多角形、星形等の平板状遊技子を発射する平板状遊技子の発射装置に関するものである。
【０００２】
【従来技術】
メダルの如き平板状遊技子を空中に発射させるものとして、本出願人が出願した特開平１１−１４６９７７号の発明があった。
【０００３】
前記出願の発明では、１対の相互に逆方向に回転するローラにメダルを連結的に送込み、発射するものと、メダルの円形中心に、メダルの平面に対して直角方向に加撃し、加撃方向にメダルの一部が引係るスピン付与部材を配置し、メダルにスピンを与えながら発射するものとがあった。
【０００４】
【解決しようとする課題】
前者の発明では、引金の引金操作で、その都度、メダルを発射できるようになっていないため、銃、拳銃の如き銃砲類の発射を模擬することができない。
【０００５】
また後者の発明では、引金の引金操作で、その都度、メダルを発射できるようになっているが、メダルにスピンを与えないで、その加撃方向に向って正確にメダルを発射することができない。
【０００６】
【課題を解決するための手段および効果】
本発明は、このような不具合を解消したゲーム機用平板状遊技子発射装置の改良に係り、請求項１記載の発明は、引金の操作により平板状遊技子を加撃して空中に該平板状遊技子を発射するゲーム機用平板状遊技子発射装置であって、平板状遊技子を装入する遊技子装入口を有し、遊技子装入口から装入された複数の平板状遊技子をその面に沿い直列状態で送る遊技子収納部と、遊技子収納部の前記遊技子装入口と反対の端部に設けられ、かつ遊技子収納部内で送られてくる平板状遊技子をその送り方向に対して起立するように受け止める受け面を有する遊技子受止め具と、前記引金の操作に連動して、前記遊技子受止め具寄りの平板状遊技子に作用し、それを揺動して起立させ前記受け面に当接させるとともに、前記遊技子収納部内にある次位平板状遊技子を係止する揺動係止部材と、前記引金の操作に連動して、前記受け面に当接して起立している前記平板状遊技子の端面を加撃して前記受け面に沿って発射する加撃片とを備えることを特徴とする。
【０００７】
請求項１記載の発明は、前記したように構成されているため、引金を引く毎に、平板状遊技子を１枚ずつ、遊技子受止め具の受け面に沿って空中に発射することができ、通常の銃のように銃身に沿って弾を発射するものとは、異なった発射感覚を持つことができる。そして、各平板状遊技子は、遊技子受止め具の受け面上に一旦受け止められて揺動係止部材により受け面に保持された状態で、加撃片により加撃されて遊技子の面方向に打ち出されるので、受け面に沿った方向に安定してかつ軽快に打ち出される。また、遊技子は、その加撃の直前まで受止め具の受け面上に揺動係止部材により保持されるので、加撃は安定した状態でなされる。
【０００８】
請求項２に記載の発明は、請求項１記載のゲーム機用平板状遊技子発射装置において、前記揺動係止部材は、前記加撃片による加撃の後、遊技子収納部内の前記次位平板状遊技子の係止を解除して、該次位平板状遊技子の前記受け面への誘導を許すように構成されたことを特徴とする。
【０００９】
請求項２に記載のように発明では、揺動係止部材は、加撃片による加撃の後、遊技子収納部内の次位平板状遊技子の係止を解除して、該次位平板状遊技子の受け面への誘導を許すようになっているから、遊技子収納部内の遊技子は、遊技子の発射の障害にならない位置に保持され続け、遊技子の発射後、遊技子収納部内の次位の遊技子は、遊技子受止め具の受け面へ向かって起立できる位置に円滑に移動される。
【００１０】
請求項３に記載の発明は、請求項２記載のゲーム機用平板状遊技子発射装置において、揺動係止部材は揺動軸により枢着され、該揺動係止部材には、前記揺動軸を中心とする略円弧状面が形成されるとともに、揺動係止部材の先端部は、前記受け面に当接して起立状態にある平板状遊技子の面に当接しうる位置にあることを特徴とする。
【００１１】
請求項３に記載の発明では、揺動係止部材先端部に、遊技子受止め具の受け面に当接して起立状態にある平板状遊技子の面に弾性的に当接しうる弾性部材を設けることで、発射位置にある遊技子を弾性的に保持し、加撃機構による加撃力を減殺せずに遊技子を発射することができる。
【００１２】
請求項４に記載の発明は、請求項３記載のゲーム機用平板状遊技子発射装置において、前記揺動係止部材の前記先端部に隣接して、前記受け面に当接して起立状態にある平板状遊技子の面に弾性的に当接しうる弾性部材が設けられたことを特徴とする。
【００１３】
請求項４に記載の発明によれば、揺動係止部材先端部に、遊技子受止め具の受け面に当接して起立状態にある平板状遊技子の面に弾性的に当接しうる弾性部材を設けることで、発射位置にある遊技子を弾性的に保持し、加撃機構による加撃力を減殺せずに遊技子を発射することができる。
【００１４】
請求項５に記載の発明は、請求項１ないし４のいずれかに記載のゲーム機用平板状遊技子発射装置と、該平板状遊技子発射装置から発射された平板状遊技子を受ける目標ポットと、目標ポットへの平板状遊技子の投入の検出に応じて、平板状遊技子を払い出す払い出し装置とを備えるゲーム機である。
【００２８】
【発明の実施の形態】
以下、図１ないし図６１に示される本発明の一実施形態について説明する。
【００２９】
メダル１を遊技子とするメダルゲーム機０では、図１に図示されるように、基台２の外周部に４本の柱３が立設され、該柱３の上端に天井４が張設され、基台２と柱３と天井４とで囲まれた開口部分の下部に基台２の外周面と略平行して水平に桁５が架設され、前記柱３，天井４，桁５で囲まれた開口部に透明扉６が嵌込まれており、図示されない施錠装置を解錠すれば、透明扉６が片開きで開放されるようになっている。
【００３０】
また、上下の桁５と基台２と左右の柱３とで囲まれた部分には、左右２個所にメダル発射装置20が配設され、これら基台２，柱３および桁５で囲まれた開口部に透明板７が張設されており、プレイヤーおよび観客は、透明扉６，透明板７を通してメダルゲーム機０内の状態を目視できるようになっている。
【００３１】
さらに、メダルゲーム機０の内部のプレー空間内において、左右のメダル発射装置20の間に位置するメダルゲーム機０の中心寄り個所には、液晶表示装置８が配設されるとともに、その透明板７寄りに、外方に向い下方へ傾斜したメダル払出しシュート９が配設され、該メダル払出しシュート９の上部にメダル払出し口10が設けられ、該メダル払出しシュート９の下端は、基台２の外壁部に設けられたメダル払出し皿11に連通しており、メダル発射装置20から発射されたメダル１が後記目標ポット12の投入に成功すると、メダル払出し口10からメダル払出しシュート９へメダル１が排出されて、メダル１はメダル払出しシュート９を転落ちてメダル払出し皿11に払出されるようになっている。
【００３２】
さらにまた、液晶表示装置８の内側には、図示されないターンテーブルが配設され、該ターンテーブルに目標ポット12，オブジェ13およびキャラクタを模したジャックポット払出し装置14が設けられ、該ターンテーブルと共に一方向へ旋回されており、プレー中、大当りが出現した場合には、該ターンテーブルが停止して、ジャックポット払出し装置14から大量のメダル１が所要のメダル払出しシュート９に向って放出されるようになっている。
【００３３】
そして、天井４の下面には照明装置15が設定され、また透明板７よりも外側の基台２の上部にジョイスティック装置16が設けられており、メダル発射装置20から発射されたメダル１が目標ポット12に入って射撃が成功すると、液晶表示装置８の画面が展開して、テレビゲームのプレーが開始される。そして、ジョイスティック装置16の操作で画面上の敵を攻撃し、その攻撃が成功すると、持点が加算され、一定水準以上に持点が増加した時に、ジャックポット払出し装置14から大量のメダル１がメダル払出しシュート９に払出されるようになっている。
【００３４】
また、メダル発射装置20の設置個所に対応した透明板７に開口が形成され、該開口には、図１７ないし図２２に図示されるような開口部カバー手段たるゲートカバー17（右半部のみ図示）が配設され、該ゲートカバー17は左右略対称に２分割されており、左方のゲートカバー17の上下当接部には、筒状のインサート（図示されず）が一体に結合され、右方のゲートカバー17のこれに対応した部分には、リング状突片17ａが一体に形成され、左方のゲートカバー17の筒状インサートの前方に右方のリング状突片17ａが重ねられ、該リング状突片17ａに外方から図示されないネジが貫通されてその先端が筒状インサートに螺着され、左右の２分割部片は相互に一体に結合されるようになっている。
【００３５】
そして、図２に図示されるように、ゲートカバー17にメダル発射装置20の空隙閉塞部材76が僅かな間隙を存してゲートカバー17に対し上下・左右に回転できる位置にて、メダル発射装置20の台座21がメダルゲーム機０の基台２上の周辺頂板18に図示されないボルト等で一体に取付けられている。
【００３６】
しかして、図９に図示されるように、台座21の平面形状は、正方形の４隅が丸く形成された形状に形成され、該台座21の中心孔22に、支柱25の下端軸26が装入され、図２および図３に図示されるように、該下端軸26のネジ部にナット27が螺着されるとともに、図９および図１０に図示されるように、台座21の凹部21ａに嵌着されたガイド溝部材23のガイド溝23ａに支柱25のガイドピン28（図１２参照）が嵌合されており、支柱25は台座21の中心孔22を中心に、左右１対のメダル発射装置20の中間部に向う方向には１６°、その外側方向に８°（図９参照）旋回できるようになっている。
【００３７】
また、図３０ないし図３９および図６０，６１に図示されるように、メダル発射装置20の銃身部30は、銃床31と、銃底32と、メダルガイド33と、蓋34と、メダル装入部材35（図３１参照）とよりなり、図２，図３および図３０に図示されるように、銃底32の両側起立片32ａは支柱25の上部に、ピン36を介して上下に５°ずつ計１０°傾動しうるように枢支されている。
【００３８】
さらに、前記銃床31の側面形状は、図３０に図示されるように普通の銃の銃床に近い形状に形成されるとともに、図３２および図６２に図示されるように、上部31ａが右方（図６１では左方）へ直角に折曲され、前記銃底32の中央には、図３３に図示されるように、正規の寸法のメダル１の直径よりも僅かに狭い巾の長孔32ｂが形成され、図３１および図３２に図示されるように、該銃底32の両側にメダル１の直径と同一の間隙を存して左右１対のメダルガイド33が付設され、該メダルガイド33の厚さはメダル１の厚さより僅かに厚く設定され、該メダルガイド33の上方に図３６に図示の蓋34が、図３１に図示されるように一体に取付けられており、正規の寸法のメダル１のみが、メダル収納部37のメダル装入口37ａからこれら銃底32（図３３，図３４参照），メダルガイド33（図３５参照）および蓋34（図３６参照）で構成されるメダル収納部37内に装入されて該メダル収納部37を通過できるようになっている。
【００３９】
そして、図３および図３１に図示されるように、前記メダル収納部37のメダル装入口37ａでは、メダルガイド33の手前部の上方に蓋34（２点鎖線図示），メダル装入部材35（破線図示）が順次重ねられ、これらメダル装入部材35，メダルガイド33，銃床31の上部31ａとにメダル装入部材35のネジ孔35ａで図示される各孔が形成され、該孔35ａ等にネジ（図示されない）が挿入螺着されており、該ネジを外せば、メダル装入部材35，蓋34を取外すことができ、メダル収納部37に詰ったメダル１を容易に取出すことができるようになっている。
【００４０】
さらにまた、図４０ないし図４６および図６０に図示されるような受止め金具取付け部材38が、メダルガイド33の先端に接し、銃底32上に一体に取付けられ、図４７ないし図５２および図６０に図示のメダル受止め金具39が前記受止め金具取付け部材38に一体に取付けられ、図５に図示されるように、該受止め金具取付け部材38の凹部38ａとメダル受止め金具39の凹部39ａとにメダルセンサー発光部40とメダルセンサー受光部41とがそれぞれ装着されており、後記揺動係止部材44によりメダル１が起立された場合に、メダルセンサー発光部40からの光がメダル１にて遮断されて、メダルセンサー受光部41によりメダル１の起立が検出されるようになっている。
【００４１】
また、図５および図６１に図示されるように、銃床31の上部31ａの低い側の右側（図６１では左側）にブラケット42が一体に装着され、該ブラケット42の鉛直部42ａの枢支孔42ｂを貫通するピン43を介して揺動係止部材44の基部44ｃが揺動自在に枢着され、該揺動係止部材44の先端部44ａの内側面に押え板バネ45が一体に装着され、図５５に図示されるように、該押え板バネ45の当接部45ａは揺動係止部材44の先端部44ａより僅かに当接方向に突出されており、図７に図示されるように、揺動係止部材44がピン43を中心に起立してメダル１がメダル受止め金具39と揺動係止部材44とに挟持される際に、押え板バネ45がメダル１に弾性的に圧接され、後記加撃片48の加撃の際にメダル１が円滑に加撃方向へ移動できるようになっている。
【００４２】
、図６１に図示されるように、ブラケット42から銃床31の鉛直部31ｈ寄りに位置して、銃床31の低い側の下面に加撃片枢支ブラケット46が一体に装着され、該加撃片枢支ブラケッ  さらにト46の鉛直部46ａの枢支孔46ｂにピン49が嵌着され、加撃片48がピン49に揺動自在に枢着されている。
【００４３】
さらにまた、銃床31の手前側の銃把31ｂに隣接した鉛直部31ｈに、引金50がピン51を介して前後に揺動自在に枢着され、該引金50には、引金駆動突起50ａと、ピン51を中心とする円弧面に沿って形成されたラチェット歯50ｂと、スプリング取付け部50ｃとが形成されており、該スプリング取付け部50ｃと銃床31のスプリング取付け部31ｃとに引張コイルスプリング52が張設されており、該引張コイルスプリング52の引張バネ力により図５において引金50が反時計方向へ揺動するように付勢されている。
【００４４】
しかも、引金50のラチェット歯50ｂに隣接して銃床31の鉛直部31ｈにラチェット爪53がピン54を介して枢支され、図６および図７においてラチェット爪53がラチェット歯50ｂに係止するように、銃床31のスプリング取付け部31ｄとラチェット爪53とに引張コイルスプリング55が張設されており、このラチェット歯50ｂとラチェット爪53とで、引金50の引金節度機構が構成されるようになっている。
【００４５】
また、メダル加撃機構47は、加撃片48と、該加撃片48の連結軸48ａに枢着された連結部材56と、揺動部材57と、該揺動部材57にピン60を介して枢着された係脱片58と、加撃引張スプリング59とよりなり、前記揺動部材57は、銃床31の上部31ａの下面に固着されたブラケット61の鉛直部61ａの枢支孔61ｂと銃床31の鉛直部31ｈの枢支孔31ｋとに嵌着された軸62を介して揺動自在に枢支されるとともに、連結部材56の基端部にピン63を介して枢着されており、図５において揺動部材57が反時計方向へ揺動されると、連結部材56は加撃引張スプリング59のバネ力に逆らって手前側に向い引かれ、加撃片48は下方へ揺動されるようになっている。
【００４６】
さらに、揺動部材57と係脱片58とに圧縮コイルスプリング64が介装され、係脱片58は図５において、揺動部材57に対し時計方向には揺動しうるが反時計方向には揺動できないように、揺動部材57の切欠部57ａの上面に係合されている。
【００４７】
さらにまた、連結部材56の先端のピン65は、揺動係止部材44の基部長孔44ｂに嵌合されており、連結部材56が後方へ引かれると、揺動係止部材44は上方へ揺動されるようになっている。
【００４８】
次に、図５７ないし図５９に図示される調整カム67、ガイド片69および調整ブラケット70を含む、加撃引張スプリング59の初期バネ変形量調整機構66について説明する。
【００４９】
初期バネ変形量調整機構66は、図６１に図示されるように、調整カム67と、スプリング係止軸68と、ガイド片69と、調整ブラケット70とよりなり、調整カム67の左方（図６１では右方）にガイド片69および調整ブラケット70が重ねられ、調整カム67の偏心孔67ａと、ガイド片69の長孔69ａとは、銃床31の軸71（図３０参照）に嵌合され、前記スプリング係止軸68は、銃床31のガイド長孔31ｅ（図３０，図６１参照）に摺動自在に嵌合されるとともに、ガイド片69の長孔69aに嵌合され、かつ加撃引張スプリング59の一端に係止され、前記調整カム67と一体のステイ軸72，73に、調整ブラケット70の孔70ａおよび切欠き70ｂが嵌合され、前記加撃引張スプリング59の他端は連結部材56のスプリング受軸74に係止され、しかもスプリング係止軸68は調整カム67のラッチ67ｂの凹部に係合されており、調整ブラケット70の６角孔70ｃに、図示されないドライバーの如き工具の先端６角部を嵌合し、該工具をいずれかの方向に廻すと、調整カム67は偏心孔67ａおよび軸71を中心として偏心回転し、軸71とスプリング係止軸68との間の距離が変化し、加撃引張スプリング59の初期長さが調整されるようになっている。
【００５０】
また、引金50が引かれた状態における揺動部材57の左右両側方に位置して、引金動作検出センサー75（図５ないし図８参照）が配置されており、引金50が引かれて、ラチェット爪53が引金50のラチェット歯50ｂの２つ目を越えたときに、揺動係止部材44の上方揺動に伴ないメダル１が立上げられ、メダルセンサー受光部41が動作して、メダル１が立上げられた状態が検出され、さらに引金50が引かれて、ラチェット爪53が引金50のラチェット歯50ｂの４つ目を越えたときに、揺動部材57が左右の引金動作検出センサー75の間に位置して引金動作検出センサー75が動作し、引金50の引金操作が行なわれたことが検出され、両検出が行なわれた場合に、コンピュータによりメダル１が発射されたと、判断されるようになっている。
【００５１】
そして、メダルゲーム機０のプレー空間を構成する密閉手段の１部材たる透明板７と、基台２と桁５とに嵌込まれたゲートカバー17の開口部と、メダル発射装置20の銃身部30との空隙を塞ぐ空隙閉塞手段たる空隙閉塞部材76について説明する。
【００５２】
図２に図示されるように、空隙閉塞部材76は、台座21の下端軸26の中心を通る銃身部30の左右揺動中心線と、銃身部30を上下に揺動枢支するピン36の中心線との交点を中心とした略半球面状に形成されるとともに、該空隙閉塞部材76は銃身部30の外面を覆う銃カバー77と一体に形成され、かつ空隙閉塞部材76と銃カバー77とは、図２３ないし図２９に図示されるように、前記銃床31の鉛直部31ｈに沿う平面を境に左右に２分割され（図２３ないし図２９は空隙閉塞部材76および銃カバー77の右半部のみ図示されている）、銃カバー77には、図２３および図２４に図示されるように、銃把の下部と、銃カバー77の上部とにネジ孔77ａ，77ｂが形成され、銃床31にも、図３０に図示されるように、該銃カバー77の孔77ａ，77ｂに対応した個所にネジ孔31ｆ，31ｇが形成されており、これらネジ孔77ａ，31ｆ，ネジ孔77ｂ，31ｇにそれぞれ図示されないネジが挿通され、このネジの先端に図示されないナットが螺着されることによって、空隙閉塞部材76，銃カバー77を銃身部30の銃床31に着脱自在に一体に取付けることができるようになっている。
【００５３】
また、左方の空隙閉塞部材76には、図２に図示されるように、調整ブラケット70の６角孔70ｃに対応した個所にて工具挿入孔76ａが形成されており、空隙閉塞部材76，銃カバー77を左右に分解しなくとも、工具の先端を空隙閉塞部材76の工具挿入孔76ａに差込み、さらに調整ブラケット70の６角孔70ｃに嵌合することができるようになっている。
【００５４】
図１ないし図６１に図示の実施形態は、前記したように構成されているので、プレーヤは、図示されないメダル販売機でメダルを購入して、メダル発射装置20のメダル装入部材35から、メダル収納部37内にメダル１を装入すると、前方に向って下方へ傾斜しているメダル収納部37によって、該メダル収納部37内のメダル１は下方へ移動し、銃身部30の先端のメダル受止め金具39に当接して係止される。そしてメダル収納部37内にメダル１を次々と装入すると、メダル収納部37内に複数枚のメダル１が直列状に並んだ状態で収納される。
【００５５】
この状態で、引金50を引き始めると、図６に図示されるように、引金50は時計方向へ傾動し、引金50の引金駆動突起50ａが係脱片58に当接し、時計方向への引金50の引き操作に対応して、揺動部材57が反時計方向へ傾動され、加撃引張スプリング59のバネ力に打勝って手前側に移動する連結部材56により、揺動係止部材44が時計方向の上方へ傾動されるとともに、加撃片48は時計方向の下方へ傾動される。
【００５６】
そして、図７に図示されるように、引金50が極限に近づく迄引かれた時には、引金50の引金駆動突起50ａは係脱片58から外れる直前となるとともに、ラチェット爪53が引金50のラチェット歯50ｂの７番目の歯に係合して外れる直前となり、揺動係止部材44は起立してその先端当接部44ａおよび押え板バネ45でもってメダル１をメダル受止め金具39の受け面39ｂに押付けた状態となる。
【００５７】
さらに、引金50を引くと、図８に図示されるように、その引金駆動突起50ａは係脱片58から外れるとともに、ラチェット爪53はラチェット歯50ｂから外れ、加撃引張スプリング59のバネ力によって連結部材56が下方へ引戻され、加撃片48は急激に反時計方向の上方へ傾動し、揺動係止部材44の先端当接部44aおよび押え板バネ45とメダル受止め金具39とで挟持されていたメダル１の下端に加撃片48の加撃部48ｂが激突し、メダル１はメダル受止め金具39の受け面39ｂに沿って上方へ弾き飛ばされる。それと同時に、メダル収納部37内に残ったメダル１の内、最下方のメダル１が自重でメダル収納部37内を下降してメダル受止め金具39に隣接し、加撃片48の加撃部48ｂに当接する。
【００５８】
そして、引金50の引きを解除すると、引張コイルスプリング52のバネ力によって、引金50はピン51を中心に反時計方向へ付勢され、引金50のラチェット歯50ｂはラチェット爪53の背面（図５では右側）に当接し、ラチェット爪53は引張コイルスプリング55のバネ力に打勝って時計方向へ揺動して引金50のラチェット歯50ｂを乗越えて、図５に図示の状態に復帰することができる。
【００５９】
引金50を引く毎に、前述した動作を繰返して、メダル１を１枚ずつ、メダル受止め金具39の受け面39bに沿って空中に発射することができ、通常の銃のように銃身に沿って弾を発射するものとは、異なった発射感覚を持つことができる。
【００６０】
また、揺動係止部材44の先端当接部44ａに設けられた押え板バネ45により、メダル１はメダル受止め金具39の受け面39ｂに弾性的に挟持され、メダル受止め金具39および押え板バネ45はいずれも低摩擦の金属であるため、メダル１は安定してかつ軽快に発射される。
【００６１】
さらに、加撃片48の加撃部48ｂは、メダル受止め金具39と揺動係止部材44とで挟持されたメダル１の中心を通るようにメダル１の下端に衝突するため、メダル１の重心を中心とした回転運動や、メダル１の直径を中心としたスピン運動を起さずに、メダル１はメダル受止め金具39の受け面39ｂに沿って空中を飛行することができる。
【００６２】
さらにまた、引金50を引き始めると、ラチェット爪53が引金50のラチェット歯50ａに停止するので、途中で引金50の引き動作を中断しても、その引き状況を保持できるので、再び引金50を引けばメダル１を発射できる。
【００６３】
そして、引金50を引いて、図７に図示するように、揺動係止部材44を時計方向の上方へ傾動した場合、揺動係止部材44の弯曲面44ｄ（図５５参照）が揺動係止部材44の基部44ｃの中心を中心とする円弧面に近い形状に形成されているため、揺動係止部材44でもって上方へ起立するメダル１に続くメダル収納部37内の次のメダル１は揺動係止部材44の弯曲面44ｄで制止されてその位置を維持できるので、該次位のメダル１は、加撃片48の加撃部48ｂによる加撃を全く受けずメダル収納部37内に保持された状態を持つことができる。
【００６４】
また、銃床32の左右巾方向が水平に保持されている結果、メダル受止め金具39の受け面39ａの左右巾方向も水平に保持されているため、メダル発射装置20により発射されたメダル１は、左右に傾くことなく、メダル受止め金具39の上下方向に沿って安定して飛ぶことができる。
【００６５】
さらに、メダルゲーム機０が設置されているゲームセンター内でコインと引換えに払出されるメダル１をメダルゲーム機０の遊技子とすることができるので、特別な形状・寸法の遊技子を用いる必要がなくなる。
【００６６】
さらにまた、メダル収納部37では、銃床32にメダルガイド33，蓋34およびメダル装入部材35が順次重ねられて、図示されないネジでもって着脱自在に装着されるようになっているため、曲ったメダル１や大径の偽メダルをメダル収納部37内に装入して、これらが詰った場合には、前記ネジを外せば、メダル収納部37は簡単に分解され、これらメダル１や偽メダルの取出しが容易に行なわれうる。
【００６７】
そして、メダル発射装置20の銃身部30の銃床31は、１枚の鋼板を所定の形状に打抜き加工した後、その上部31ａを直角に折曲した構造となっているので、構造が簡単である。しかも、銃床31の銃把31ｂは銃カバー77で被覆されているため、普通の銃把を握ったと同じような握り感覚を得ることができるとともに、外観が実物の銃の銃把に似ている。
【００６８】
また、空隙閉塞部材76はメダル発射装置20の旋回および傾動中心を中心とする球面に形成されているため、メダル発射装置20をどの方向に向けてもゲートカバー17の開口縁に対し一定の間隔を保持できるため、メダル発射装置20の旋回および傾動が円滑に遂行されうるとともに、ゲートカバー17および空隙閉塞部材76が摩耗することがなく、耐久性が高い。
【００６９】
さらに、ゲートカバー17および銃カバー77は左右２分割方式であるため、組立、分解が容易となる。
【００７０】
前記図１ないし図６１に図示の実施形態では、加撃片48はメダル１の中心に向って加撃するようになっているが、メダル１の中心から偏心して加撃するようにしてもよく、このように構成すれば、メダル１の中心を中心としてメダル１をその平坦面に沿って回転させながら発射することができる。
【００７１】
また、前記図示の実施形態では、メダル受止め金具39にメダル１を押付ける弾性部材は押え板バネ45であったが、これを軟質ゴム、軟質合成樹脂製の如き非金属弾性体でよい。
【００７２】
さらに、前記実施形態では、メダル収納部37は、その巾方向が左右水平方向に指向していたが、図６２に図示されるように、メダル収納部37の巾方向を鉛直面に指向させてもよく、この場合には、メダル収納部37の排出口37ｂの近くに、メダル係止部材80を出没自在に枢着すれば、メダル収納部37の長手方向に対し略直角に向い鉛直面に沿ってメダル１を発射することができる。
【００７３】
さらにまた、前記実施形態においては、メダル収納部37は先方に向い下方へ傾斜したが、図６５ないし図６６に図示するように上方へ傾斜さてもよく、この実施形態では、メダル収納部37の装入口37ａにメダル収納部37の長手方向に沿って揺動可能な左右１対のメダル押出し移動部材81と、メダル収納部37のメダル通路に向い弾性的に出没可能な左右１対のメダル支持部材82とを設け、メダル収納部37の排出口37ｂにメダル歩進部材83とメダル保持部材84とを配設し、メダル押出し移動部材81によりメダル１を１枚分移動された排出口37ｂ寄りのメダル１を発射個所に歩進させることができるように、メダル収納部37の長手方向に沿って揺動可能に左右１対のメダル歩進部材83を枢着し、メダル１の発射個所にて、左右１対のメダル保持部材84を設ければよく、該実施形態では、先端部が上方へ傾斜したメダル収納部37でも、手前側から先端に向ってメダル１を移動させることができる。
【００７４】
図６５ないし図６６に図示した前記実施形態では、メダル収納部37の巾方向が水平であったが、メダル収納部37の巾方向を鉛直に向けてもよく、この実施形態では、図６０の実施形態と同様にメダル収納部37の長手方向に対し略直角に発射させるように構成すればよい。
【００７５】
そして、メダル１は円形であったが、図６３および図６４に図示するように星形、歯車形あるいは多角形（図示されず）に平板状遊技子を形成してもよい。
【００７６】
また、図１ないし図６１に図示の実施形態の初期バネ変形量調整機構66では、円形の偏心調整カム67を用いたが、図６７に図示するように、ガイド片90に鋸歯状のガイド溝90ａを形成し、該ガイド溝90ａのラッチ90ｂにラチェット爪92を係合させるようにし、前記ガイド片90に突起90ｃを設けてもよく、該実施形態では、引張コイルスプリング55の初期バネ変形量を調整するには、ラチェット爪92をガイド溝90ａの歯から外し、突起90cを握ってガイド片90の位置を変えるようにすればよい。
【図面の簡単な説明】
【図１】本出願発明のメダル発射装置を備えたメダルゲーム機全体の斜視図である。
【図２】メダル発射装置の左側面図である。
【図３】空隙閉塞部材および銃カバーを外した状態の左側面図である。
【図４】台座および支柱を外した状態の左側面図である。
【図５】台座および支柱を外し、引金を引かない状態の右側面図である。
【図６】台座および支柱を外し、引金を引き始めた状態の右側面図である。
【図７】台座および支柱を外し、引金を極限近く迄引いた状態の右側面図である。
【図８】台座および支柱を外し、引金を極限迄引いた状態の右側面図である。
【図９】台座およびガイド溝部材の平面図である。
【図１０】図９のＸ−Ｘ線に沿って截断した横断面図である。
【図１１】支柱の連結部材の平面図である。
【図１２】図１１のＸII矢視図である。
【図１３】図１１のＸIII 矢視図である。
【図１４】左側支柱の左側面図である。
【図１５】左側支柱の平面図である。
【図１６】図１４のＸVI矢視図である。
【図１７】右半部ゲートカバーの正面図である。
【図１８】右半部ゲートカバーの裏面図である。
【図１９】右半部ゲートカバーの右側面図である。
【図２０】右半部ゲートカバーの左側面図である。
【図２１】右半部ゲートカバーの平面図である。
【図２２】右半部ゲートカバーの底面図である。
【図２３】右半部空隙閉塞部材および銃カバーの右側面図である。
【図２４】右半部空隙閉塞部材および銃カバーの左側面図である。
【図２５】右半部空隙閉塞部材および銃カバーの正面図である。
【図２６】右半部空隙閉塞部材および銃カバーの裏面図である。
【図２７】右半部空隙閉塞部材および銃カバーの平面図である。
【図２８】右半部空隙閉塞部材および銃カバーの底面図である。
【図２９】図２４のＸＸIX−ＸＸIX矢視図である。
【図３０】銃身部の左側面図である。
【図３１】図３０の平面図である。
【図３２】図３０のＸ矢視図である。
【図３３】銃底の平面図である。
【図３４】図３２のＹ矢視図である。
【図３５】メダルガイドの平面図である。
【図３６】蓋の平面図である。
【図３７】メダル装入部材の平面図である。
【図３８】メダル装入部材の正面図である。
【図３９】メダル装入部材の縦断側面図である。
【図４０】受止め金具取付け部材の左側面図である。
【図４１】受止め金具取付け部材の平面図である。
【図４２】受止め金具取付け部材の裏面図である。
【図４３】図４０のＺ矢視図である。
【図４４】図４０のＶ矢視図である。
【図４５】図４１のＶ−Ｖ線に沿って截断した横断面図である。
【図４６】図４２のＷ−Ｗ線に沿って截断した横断面図である。
【図４７】メダル受止め金具の左側面図である。
【図４８】メダル受止め金具の平面図である。
【図４９】図４８のＳ−Ｓ線に沿って截断した横断面図である。
【図５０】メダル受止め金具の正面図である。
【図５１】メダル受止め金具の裏面図である。
【図５２】図５１のＴ矢視図である。
【図５３】加撃片の右側面図である。
【図５４】加撃片の平面図である。
【図５５】揺動係止部材の右側面図である。
【図５６】揺動係止部材の平面図である。
【図５７】スプリング係止軸の側面図である。
【図５８】ガイド片の側面図である。
【図５９】調整ブラケットの側面図である。
【図６０】メダル発射装置の上半部分解斜視図である。
【図６１】メダル発射装置の下半部分解斜視図である。
【図６２】他の実施形態の縦断右側面図である。
【図６３】他の実施形態の平板状遊技子の平面図である。
【図６４】他の実施形態の他の平板状遊技子の平面図である。
【図６５】さらに他の実施形態の平面図である。
【図６６】図６３のＰ−Ｐ線に沿って裁断した縦断側面図である。
【図６７】さらに他の実施例の側面図である。
【符号の説明】
０…メダルゲーム機、１…メダル、２…基台、３…柱、４…天井、５…桁、６…透明扉、７…透明板、８…液晶表示装置、９…メダル払出しシュート、10…メダル払出し口、11…メダル払出し皿、12…目標ポット、13…オブジェ、14…ジャックポット払出し装置、15…照明装置、16…ジョイスティック装置、17…ゲートカバー、18…周辺頂板、20…メダル発射装置、21台座、22…中心孔、23…ガイド溝部材、24…取付け孔、25…支柱、26…下端軸、27…ナット、28…ガイドピン、30…銃身部、31…銃床、32…銃底、33…メダルガイド、34…蓋、35…メダル装入部材、36…ピン、37…メダル収納部、38…受止め金具取付け部材、  39…メダル受止め金具、40…メダルセンサー発光部、41…メダルセンサー受光部、42…ブラケット、43…ピン、44…揺動係止部材、45…押え板バネ、46…加撃片枢支ブラケット、47…メダル加撃機構、48…加撃片、49…ピン、50…引金、51…ピン、52…引張コイルスプリング、53…ラチェット爪、54…ピン、55…引張コイルスプリング、56…連結部材、57…揺動部材、58…係脱片、59…加撃引張スプリング、60…ピン、61…ブラケット、62…軸、63…ピン、64…圧縮コイルスプリング、65…ピン、66…初期バネ変形量調整機構、67…調整カム、68…スプリング係止軸、69…ガイド片、70…調整ブラケット、71…軸、72，73…ステイ軸、74…スプリング受軸、75…引金動作検出センサー、76…空隙閉塞部材、77…銃カバー、80…メダル係止部材、81…メダル押出し移動部材、82…メダル支持部材、83…メダル歩進部材、84…メダル保持部材、90…ガイド片90、91…ラチェット爪。
【図１】
0004348798.tif 000002
【図２】
0004348798.tif 000003
【図３】
0004348798.tif 000004
【図４】
0004348798.tif 000005
【図５】
0004348798.tif 000006
【図６】
0004348798.tif 000007
【図７】
0004348798.tif 000008
【図８】
0004348798.tif 000009
【図９】
0004348798.tif 000010
【図１０】
0004348798.tif 000011
【図１１】
0004348798.tif 000012
【図１２】
0004348798.tif 000013
【図１３】
0004348798.tif 000014
【図１４】
0004348798.tif 000015
【図１５】
0004348798.tif 000016
【図１６】
0004348798.tif 000017
【図１７】
0004348798.tif 000018
【図１８】
0004348798.tif 000019
【図１９】
0004348798.tif 000020
【図２０】
0004348798.tif 000021
【図２１】
0004348798.tif 000022
【図２２】
0004348798.tif 000023
【図２３】
0004348798.tif 000024
【図２４】
0004348798.tif 000025
【図２５】
0004348798.tif 000026
【図２６】
0004348798.tif 000027
【図２７】
0004348798.tif 000028
【図２８】
0004348798.tif 000029
【図２９】
0004348798.tif 000030
【図３０】
0004348798.tif 000031
【図３１】
0004348798.tif 000032
【図３２】
0004348798.tif 000033
【図３３】
0004348798.tif 000034
【図３４】
0004348798.tif 000035
【図３５】
0004348798.tif 000036
【図３６】
0004348798.tif 000037
【図３７】
0004348798.tif 000038
【図３８】
0004348798.tif 000039
【図３９】
0004348798.tif 000040
【図４０】
0004348798.tif 000041
【図４１】
0004348798.tif 000042
【図４２】
0004348798.tif 000043
【図４３】
0004348798.tif 000044
【図４４】
0004348798.tif 000045
【図４５】
0004348798.tif 000046
【図４６】
0004348798.tif 000047
【図４７】
0004348798.tif 000048
【図４８】
0004348798.tif 000049
【図４９】
0004348798.tif 000050
【図５０】
0004348798.tif 000051
【図５１】
0004348798.tif 000052
【図５２】
0004348798.tif 000053
【図５３】
0004348798.tif 000054
【図５４】
0004348798.tif 000055
【図５５】
0004348798.tif 000056
【図５６】
0004348798.tif 000057
【図５７】
0004348798.tif 000058
【図５８】
0004348798.tif 000059
【図５９】
0004348798.tif 000060
【図６０】
0004348798.tif 000061
【図６１】
0004348798.tif 000062
【図６２】
0004348798.tif 000063
【図６３】
0004348798.tif 000064
【図６４】
0004348798.tif 000065
【図６５】
0004348798.tif 000066
【図６６】
0004348798.tif 000067
【図６７】
0004348798.tif 000068